(57)【要約】【課題】瓶の口の長さを明らかに短くすることが可能であり、容器のデザインの影響を受けにくく、また、容器の口との間を密接にして漏れにくくし、瓶の口に弾力性のあるキャップを組み合わせることで、容器内の液体が漏れ出すのを防ぐ効果がより発揮され、しかも、開けやすいという特徴を有する漏れないキャップを提供する。【解決手段】可動柱部分及び弾力性のある部分からなり、可動柱部分先は細くなった柱部分及び円錐形ブロックになっていて、弾力性のある部分は柔らかくて弾力のある材質からできていて、中央に貫通穴が開いていて、上部は上に向かって徐々に広がった傾斜円錐形部分で、瓶の口に留まるようになっていて、可動柱部分が柱部分によって弾力性のある部分の貫通穴内に挿入されると、弾力性のある部分は可動柱部分の柱部分及び円錐形ブロック表面に密着する。【選択図】    図１
2004256152.tif 000002
【特許請求の範囲】
【請求項１】
可動柱部分及び弾力性のある部分からなり、そのうち、可動柱部分先は細くなった柱部分及び円錐形ブロックになっていて、
弾力性のある部分は柔らかくて弾力のある材質からできていて、中央に貫通穴が開いていて、上部は上に向かって徐々に広がった傾斜円錐形部分で、瓶の口に留まるようになっていて、
可動柱部分が柱部分によって弾力性のある部分の貫通穴内に挿入されると、弾力性のある部分は可動柱部分の柱部分及び円錐形ブロック表面に密着し、この時、キャップの直径体積が最も大きい時であるため、キャップはしっかりと隙間なく瓶の口に密着して、容器内の液が流れ出ることがなく、キャップを取り出す際は、先ず傾斜円錐形部分を押さえ、次に可動柱部分を下に向かって押して、弾力性のある部分内に押し入れ、弾力性のある部分が上昇した時、キャップの直径体積が減少するため、弾力性のある部分は瓶の口に密着することがなく、可動柱部分は弾力性のある部分と共に楽に取り出すことができることを特徴とする漏れないキャップ。
【請求項２】
可動柱部分上端が摘みになっていて、摘みの下部表面の周囲には固定突起部があることを特徴とする請求項１に記載の漏れないキャップ。
【請求項３】
弾力性のある部分上部の周囲は帽子キャップを形成していて、瓶の口の外側に被さるようになっていることを特徴とする請求項１または２に記載の漏れないキャップ。
【請求項４】
可動柱部分の柱部分には複線螺旋部分があって、柱部分上端には多角形の結合部分があり、下端は直径のやや大きい円錐形ブロックになっていて、可動柱部分上方にある回転ねじ、下方にある結合槽が、可動柱部分の結合部分に固定され、その可動柱部分は弾力性のある部分内部に設置されて、弾力性のある部分が柔らかくて弾力性のある材質からできていて、中央に貫通穴が通ることにより、可動柱部分の柱部分が内部を貫通して結合することを特徴とする請求項１、２または３に記載の漏れないキャップ。
【請求項５】
可動柱部分の柱部分には複線螺旋部分があって、柱部分上端には多角形の結合部分があり、下端は直径が比較的大きい円錐形ブロックになっていて、円錐形ブロックには横向きに貫通した入口があって、この入口は可動柱部分内部の貫通出口に通じていることにより、貫通出口は回転ねじの貫通出口とも通じていて、可動柱部分上方の回転ねじ、下方にある結合槽が、可動柱部分の結合部分に固定され、その可動柱部分は弾力性のある部分内部に設置されて、弾力性のある部分が柔らかくて弾力性のある材質からできていて、中央に貫通穴が通ることにより、可動柱部分の柱部分が内部を貫通して結合することを特徴とする請求項１、２、３または４に記載の漏れないキャップ。
【請求項６】
可動柱部分の柱部分にはスピーディーに回転するための複線螺旋部分があり、柱部分上端には、多角形の結合部分があり、その結合部分が固定板中央の角形穴に結合して固定し、回転キャップ内部には多角形の固定板及び固定片があって、固定板が回転キャップ内に埋め込まれた固定片によって、しっかりと固定されることを特徴とする請求項１、２、３、４または５に記載の漏れないキャップ。
【請求項７】
柱状で、中央軸に貫通出口があって、下方の円錐形ブロックには数個の入口があり、それが貫通出口に通じていて、可動柱部分上端にリングプルが取り付けられた可動柱部分と、
柔らかくて弾力性のある材質からできていて、容器の口の位置に固定され、中央軸に貫通穴が開いていて、可動柱部分の柱部分が内部に密着するようになった、弾力性のある部分からなり、
リングプルが上に引かれると、可動柱部分は下に移動し、円錐形ブロックにある入口が突出して露出するので、容器内の液体が貫通出口から注ぐことができ、リングプルが下に押されて移動すると、可動柱部分が上に引上げられ、円錐形ブロックが弾力性のある部分によって圧迫されて、入口が圧迫され、容器内の液体は漏れ出すことがないことを特徴とする漏れないキャップ。
【発明の詳細な説明】
【０００１】
【発明の属する技術分野】
本発明は漏れないキャップに関する。本発明の漏れないキャップは、ブラインドタイプのキャップ構造で、容器との組み合わせがしやすく、見た目にも美しい上に、漏れを防ぐ効果に優れ、開けやすいという特徴を有する。
【０００２】
【従来の技術】
従来のキャップは、底の部分が突出した形態で、先が細くなったものか、弾力性のあるキャップ部分を瓶の口にねじ込むようになっている。
【０００３】
【発明が解決しようとする課題】
しかしながら、容器の口はある程度の長さがないと、キャップの密接度が低くなる。したがって、キャップは外観上、それほど大きな変化がなく、デザイン的に単調で、さまざまなニーズに対応することはむずかしい。
【０００４】
【課題を解決するための手段】
本発明の漏れないキャップは、ブラインド方式になっているので、瓶の口の内部に挿入されている。したがって、従来に比べ、瓶の口の長さを明らかに短くすることが可能である。そして、容器のデザインの影響を受けにくい。さらに、本発明の漏れないキャップは、容器の口との間を密接に防ぎ、漏れにくくしている。瓶の口に弾力性のあるキャップを組み合わせることで、この効果はさらに優れ、容器内の液体が漏れ出すのを防ぐ効果がより発揮される。その上、開けやすいという特徴を有する。
【０００５】
【発明の実施の形態】
図１から図５を参照されたい。本発明の漏れないキャップのキャップ１は、可動柱部分１１及び弾力性のある部分１２からなり、そのうち、可動柱部分１１上端は摘み１１１になっていて、摘み１１１の下方は二段式で先が細くなった柱部分１１４及び円錐形ブロック１１５になっている。柱部分１１４は下に向かって徐々に広がっていて、円錐形ブロック１１５はやや直径が大きい円錐体である。摘み１１１の下部表面の周囲には固定突起部１１２があり、摘み１１１上方は穿ち穴１１３が開いている。その中には、掛けるためのパーツ４あるいは掛けるためのパーツ４’（掛けるためのパーツ４は掛けるためのひもで、掛けるためのパーツ４’はキーホルダーあるいはその他の各種パーツである）が取り付けられるようになっている。弾力性のある部分１２は柔らかくて弾力のある材質からできている。その弾力性のある部分１２上部は上に向かって徐々に広がった傾斜円錐形部分１２１で、キャップ１が瓶の口３１に留まって、容器３内に落ち込まないようになっている。また、外に突き出た傾斜円錐形部分１２１は、可動柱部分１１の動きをスムーズにするのに役立っている。中央軸には、貫通穴１２２が開いていて、この貫通穴１２２は、可動柱部分１１の外観に対応していて、可動柱部分１１が弾力性のある部分１２内に埋め込まれた際に、容器３の瓶の口３１内にしっかりと嵌り込む。
【０００６】
図１から図３を参照されたい。可動柱部分１１が柱部分１１４によって弾力性のある部分１２の貫通穴１２２内に挿入されると、弾力性のある部分１２は可動柱部分１１の柱部分１１４及び円錐形ブロック１１５に密着する。キャップ１が瓶の口３１にねじ込まれる時は、キャップ１の直径体積が最も大きい時である。したがって、キャップ１はしっかりと隙間なく瓶の口３１に密着して、容器３内の液が流れ出ることがない。キャップ１を取り出す際は、先ず傾斜円錐形部分１２１を押さえ、次に可動柱部分１１を下に向かって押して、弾力性のある部分１２内に押し入れ、可動柱部分１１の固定突起部１１２を弾力性のある部分１２の傾斜円錐形部分１２１内に固定させる。弾力性のある部分１２が摘み１１１の位置まで来た時、キャップ１の直径体積も減少するため、弾力性のある部分１２は瓶の口３１に密着することがなく、可動柱部分１１は弾力性のある部分１２と共に楽に取り出すことができる。
【０００６】
図３から図５を参照されたい。キャップ１は瓶の口３１の内部に設置される。そして、外に露出する部分はキャップ１の僅かなな部分である。したがって、容器３の長さが長くなくともよく、見た目も美しい。図６の実施例では、キャップ１が容器３のデザインに合わせてあり、キャップ１には装飾パーツ５が取り付けてある。さらに、容器３の用途に合わせ、キャップ１下部には液をつけるスティック１１６が取り付けてある。
【０００７】
キャップ１’は、弾力性のある部分１２’に変化を持たせてある。図７を参照されたい。キャップ１’は可動柱部分１１’及び弾力性のある部分１２’からなる。そのうち、可動柱部分１１’上端は摘み１１１’になっている。摘み１１１’下方は二段式で先が細くなった柱部分１１３’及び円錐形ブロック１１４’になっている。柱部分１１３’は下に向かって徐々に広がっていて、円錐形ブロック１１４’はやや直径が大きい円錐体である。摘み１１１’の下部表面の周辺には固定突起部１１２’がある。弾力性のある部分１２’上部の周囲は帽子キャップ１２２’を形成していて、瓶の口３１の外側にかぶさるようになっているので、漏れを防止する効果がある。また、帽子キャップ１２２’があることは、可動柱部分１１’の操作に役立っている。さらに、可動柱部分１１’は前述の構造と同様、弾力性のある部分１２’の傾斜円錐形部分１２１’内に設置され、可動柱部分１１’が固定突起部１１２’によって傾斜円錐形部分１２１’の内壁に固定されることで、弾力性のある部分１２’は上に移動し、弾力性のある部分１２’が摘み１１１’の位置まで来た時、キャップ１’の直径体積も減少するため、弾力性のある部分１２’は瓶の口３１に密着することがなく、可動柱部分１１’は弾力性のある部分１２’と共に楽に取り出すことができる。可動柱部分１１’が上に引上げられると、柱部分１１３’が弾力性のある部分１２’の上部に当たり、弾力性のある部分１２’を瓶の口３１の位置に固定させてキャップ１’を固定する。
【０００８】
図８及び図９を参照されたい。本発明の漏れないキャップをワインボトルやドリンク缶等の容器に応用している。キャップ６は可動柱部分６１、弾力性のある部分６２及び回転ねじ６３からなる。可動柱部分６１の柱部分６１１には複線螺旋部分６１２がある。柱部分６１１上端には、多角形の結合部分６１３があり、下端は直径のやや大きい円錐形ブロック６１４になっている。可動柱部分６１は柱部分６１１が弾力性のある部分６２の貫通穴６２１の中を貫いていて、複線螺旋部分６１２が貫通穴６２１内壁の螺旋模様部分６２２に対応することにより、可動柱部分６１の結合部分６１３が回転ねじ６３下方内側の結合槽６３１に固定される。したがって、回転ねじ６３の回転により、可動柱部分６１が回転して、弾力性のある部分６２内を上下移動する。可動柱部分６１が上に移動すると、円錐形ブロック６１４は弾力性のある部分６２を押し広げ、弾力性のある部分６２は容器の口に固定される。そして、弾力性のある部分６２上部の、やや外に向かって広がった傾斜円錐形部分６２３が弾力性のある部分６２が容器内に落ち込むのを防ぐ。可動柱部分６１が下に移動して、円錐形ブロック６１４が弾力性のある部分６２の下方外部に突出すると、弾力性のある部分６２が押し広げられることがなく、キャップ６を瓶の口から取り出すことができる。
【０００９】
図１０を参照されたい。可動柱部分６１が弾力性のある部分６２内で回転する時、可動柱部分６１の回転をスムーズにするため、弾力性のある部分６２の内部に比較的材質の硬い内部はめ込みパーツ６４がはめ込まれている。これにより、可動柱部分６１の動作がよりスムーズになる。
【００１０】
さらに、図１１及び図１２を参照いただきたい。キャップ６’は可動柱部分６１’、弾力性のある部分６２’及び回転ねじ６３’からなる。可動柱部分６１’の柱部分６１１’には複線螺旋部分６１２’がある。柱部分６１１’上端には、多角形の結合部分６１３’があり、下端は直径のやや大きい円錐形ブロック６１４’になっている。可動柱部分６１’は柱部分６１１’が弾力性のある部分６２’の貫通穴６２１’の中を貫いていて、複線螺旋部分６１２’が貫通穴６２１’内壁の螺旋模様部分６２２’に対応することにより、可動柱部分６１’の結合部分６１３’が回転ねじ６３’下方内側の結合槽６３１’に固定される。したがって、回転ねじ６３’の回転により、可動柱部分６１’が回転して、弾力性のある部分６２内を上下移動する。可動柱部分６１’が上に移動すると、円錐形ブロック６１４’は弾力性のある部分６２’を押し広げ、弾力性のある部分６２’は容器８’’の瓶の口８１’’の位置に固定される。そして、弾力性のある部分６２’上部の、やや外に向かって広がった傾斜円錐形部分６２３’が弾力性のある部分６２’が容器８’’内に落ち込むのを防ぐ。可動柱部分６１’が下に移動して、円錐形ブロック６１４’が弾力性のある部分６２’の下方外部に突出すると、弾力性のある部分６２’が押し広げられることがなく、キャップ６’を瓶の口８１’’から取り出すことができる。
【００１１】
また、可動柱部分６１’下方の円錐形ブロック６１４’には横向きに貫通した入口６１５’があって、この入口６１５’は可動柱部分６１’内部の貫通出口６１６’に通じていることにより、貫通出口６１６’は回転ねじ６３’の貫通出口６３２’とも通じている。したがって、円錐形ブロック６１４’が弾力性のある部分６２’下方に設置される時、容器８’’内の液体は可動柱部分６１’を経て、回転ねじ６３’から注ぐことが可能である。可動柱部分６１’の円錐形ブロック６１４’が上に向かって移動し締められると、弾力性のある部分６２’は入口６１５’を塞ぎ、容器８’’内の液体が流れ出ることはない。
【００１２】
もう一つのワインボトル等への応用例は、図１３から図１６を参照されたい。キャップ７は可動柱部分７１、弾力性のある部分７２及び回転ねじ７３からなる。可動柱部分７１の柱部分７１１にはスピーディーに回転するための複線螺旋部分７１２がある。柱部分７１１上端には、多角形の結合部分７１３があり、下端は直径のやや大きく、下に向かってやや広がった円錐形ブロック７１４になっている。弾力性のある部分７２は、その中央の固定リング７３１に螺旋模様部分７２２があって、可動柱部分７１の複線螺旋部分７１２に対応する。貫通穴７２１上方には固定溝７２３があって、固定片７３４が嵌り込んで固定するようになっている。その固定片７３４は回転キャップ７３内部に嵌り込み、可動柱部分７１の結合部分７１３が多角形の固定板７３３中央の角形穴７３３１に結合して固定する。その固定板７３３は回転キャップ７３の中に固定され、さらに、固定片７３４によって、しっかりと固定する。その回転キャップ７３の開口部には、裂けて分裂するようになった固定リング７３１がある。回転キャップ７３を回転させて瓶を開けた時、固定リング７３１は回転キャップ７３から離脱する。
回転キャップ７３が回転した時、内部の固定板７３３が可動柱部分７１を動かして回転させる。弾力性のある部分７２が容器８の瓶の口８１を塞ぐことにより、漏れを防ぐ効果があり、可動柱部分７１の上下回転は弾力性のある部分７２の密着度をコントロールし、同時にキャップ７を取ったり、開けたり、漏れを防いだりする効果をもコントロールしている。
【００１３】
本発明の漏れないキャップを、リングプル式の缶に応用したものに関しては、図１７及び図１８を参照されたい。容器８’上端は瓶の口８１’になっている。この瓶の口８１’の一方の側にはくぼみ８２’がある。瓶の口８１’内には、キャップ９が設置され、そのキャップ９は、可動柱部分９１、弾力性のある部分９２及びリングプル９３からなる。そのうち、弾力性のある部分９２は柔らかくて弾力性のある材質でできている。そして、容器８’の瓶の口８１’の位置に固定され、弾力性のある部分９２の中央には貫通穴９２１が通っていて、可動柱部分９１も柱部分が貫通して弾力性のある部分９２内部に密着する。可動柱部分９１は弾力性のある部分９２内部の貫通穴９２１の中に埋め込まれ、可動柱部分９１中央軸には貫通出口９１１がある。下方の円錐形ブロック９１２には数個の入口９１３が開いていて、それは貫通出口９１１に連なっている。そして、可動柱部分９１上端軸にはリングプル９３が取り付けてある。そのリングプル９３はくぼみ８２’内に納まっている。
【００１４】
図１８を参照されたい。リングプル９３が上に引かれると、可動柱部分９１は下に移動する。円錐形ブロック９１２にある入口９１３が突出して露出する。したがって、容器８’内の液体は貫通出口９１１から注ぐことができる。リングプル９３が下に押されて移動すると、可動柱部分９１が上に引上げられ、円錐形ブロック９１２が弾力性のある部分９２によって圧迫される。したがって、入口９１３が圧迫されて、容器８’内の液体は漏れ出すことがない。
【００１５】
【発明の効果】
本発明の漏れないキャップは、ブラインド形式で瓶の口の内部に挿入される。したがって、従来に比べ、瓶の口の長さが明かに短くすることが可能である。そして、いかなる容器にも対応できるという特徴がある。
また、本発明の漏れないキャップは、瓶の口に弾力性のあるキャップを組み合わせることにより、容器内の液体（物）を漏れにくくすることが可能で、従来のキャップに比べ、漏れを防ぐ効果がはるかに高い。
【図面の簡単な説明】
【図１】本発明の第一実施例の漏れないキャップの立体外観図である。
【図２】本発明の第一実施例の漏れないキャップの立体分解図である。
【図３】本発明の第一実施例の漏れないキャップの、使用状態での断面図である。
【図４】本発明の第一実施例の漏れないキャップの、使用状態の実施例図一である。
【図５】本発明の第一実施例の漏れないキャップの、使用状態の実施例図二である。
【図６】本発明の第一実施例の漏れないキャップの、使用状態の実施例図三である。
【図７】本発明の第一実施例における弾力性のあるキャップを、さらに変化させた実施例の断面図である。
【図８】本発明の第二実施例の漏れないキャップの立体外観図である。
【図９】本発明の第二実施例の漏れないキャップの立体分解図である。
【図１０】本発明の第二実施例の漏れないキャップの、局部断面図である。
【図１１】図９に示した構造をさらに変化させた例の局部断面図である。
【図１２】本発明の第二実施例の漏れないキャップの、使用状態の実施例図である。
【図１３】本発明の第三実施例の漏れないキャップの立体外観図である。
【図１４】本発明の第三実施例の漏れないキャップの立体分解図である。
【図１５】本発明の第三実施例の漏れないキャップの構造を示した断面図である。
【図１６】本発明の第三実施例の漏れないキャップの、使用状態の断面図である。
【図１７】本発明の第四実施例の漏れないキャップを設置した状態の立体図である。
【図１８】本発明の第四実施例の漏れないキャップの、使用状態の断面図である。
【符号の説明】
１、１’      キャップ              ７        キャップ
１１、１１’    可動柱部分          ７１      可動柱部分
１１１、１１１’    摘み          ７１１      柱部分
１１２、１１２’    固定突起部      ７１２      複線螺旋部分
１１３      穿ち穴                ７１３      結合部分
１１４、１１３’    柱部分          ７１４      円錐形ブロック
１１５、１１４’    円錐形ブロック  ７２        弾力性のある部分
１１６    液をつけるスティック    ７２１      貫通穴
１２、１２’  弾力性のある部分      ７２２    螺旋模様部分
１２１、１２１’  傾斜円錐形部分    ７２３    固定溝
１２２    貫通穴                  ７３      回転キャップ
１２２’    帽子キャップ                ７３１    固定リング
２、３、３’  容器                  ７３２    内側が螺旋状の部分
２１、３１、３１’    瓶の口        ７３３    固定板
４、４’    掛けるためのパーツ      ７３３１  角形穴
５    装飾パーツ                  ７３４    固定片
６、６’  キャップ                  ８、８’、８    容器
６１、６１’  可動柱部分            ８１、８１’、８１  瓶の口
６１１、６１１’  柱部分            ８２’    くぼみ
６１２、６１２’  複線螺旋部分      ９    キャップ
６１３、６１３’  結合部分          ９１    可動柱部分
６１４、６１４’  円錐形ブロック    ９１１  貫通出口
６１５’    入口                    ９１２  円錐形ブロック
６１６’    貫通出口                ９１３  入口
６２、６２’  弾力性のある部分      ９２    弾力性のある部分
６２１、６２１’  貫通穴            ９２１    貫通穴
６２２、６２２’  螺旋槽            ９３    リングプル
６２３、６２３’  傾斜円錐部分
６３、６３’      回転ねじ
６３１、６３１’    結合槽
６３２’      貫通出口
６４、６４’      内部はめ込みパーツ
【図１】
2004256152.tif 000003
【図２】
2004256152.tif 000004
【図３】
2004256152.tif 000005
【図４】
2004256152.tif 000006
【図５】
2004256152.tif 000007
【図６】
2004256152.tif 000008
【図７】
2004256152.tif 000009
【図８】
2004256152.tif 000010
【図９】
2004256152.tif 000011
【図１０】
2004256152.tif 000012
【図１１】
2004256152.tif 000013
【図１２】
2004256152.tif 000014
【図１３】
2004256152.tif 000015
【図１４】
2004256152.tif 000016
【図１５】
2004256152.tif 000017
【図１６】
2004256152.tif 000018
【図１７】
2004256152.tif 000019
【図１８】
2004256152.tif 000020